(57)【要約】【課題】接続信頼性を保持することができるサンバイザ用コネクタを提供する。【解決手段】取付部材に取り付けられるブラケット５と、サンバイザ本体７を回動可能に支持し端部がブラケット５を挿通して回動可能に配置されるアーム部９と、ブラケット５に固定されブラケット５を挿通するアーム部９の端部近傍に配置されるハウジング１１と、ハウジング１１に収容され相手端子に接続される相手接続部１３とアーム部９の端部に接続されるアーム接続部とを有するコネクタ端子１７とを備えたサンバイザ用コネクタ１において、コネクタ端子１７に、ハウジング１１のブラケット５と対向する部分に挿入して係合されコネクタ端子１７をハウジング１１に固定する固定部１９を設け、コネクタ端子１７のブラケット５と対向する部分に、ブラケット５と当接しコネクタ端子１７を固定部１９の挿入方向に向けて押圧する押圧部２１を設けた。【選択図】図６
2020019416.tif 000002
【特許請求の範囲】
【請求項１】
取付部材に取り付けられるブラケットと、
前記取付部材の一側に配置されたサンバイザ本体を回動可能に支持し端部が前記ブラケットを挿通して回動可能に配置されるアーム部と、
前記ブラケットの前記取付部材の他側に固定され前記ブラケットを挿通する前記アーム部の端部近傍に配置されるハウジングと、
前記ハウジングに収容され前記取付部材の他側に配置された相手端子に接続される相手接続部と前記アーム部の端部に接続されるアーム接続部とを有するコネクタ端子と、
前記コネクタ端子に設けられ前記ハウジングの前記ブラケットと対向する部分に挿入して係合され前記コネクタ端子を前記ハウジングに固定する固定部と、
前記コネクタ端子の前記ブラケットと対向する部分に設けられ前記ブラケットと当接し前記コネクタ端子を前記固定部の挿入方向に向けて押圧する押圧部と、
を有することを特徴とするサンバイザ用コネクタ。
【請求項２】
請求項１記載のサンバイザ用コネクタであって、
前記押圧部は、前記ブラケットと平面で当接する平板部を有することを特徴とするサンバイザ用コネクタ。
【請求項３】
請求項２記載のサンバイザ用コネクタであって、
前記平板部は、前記ブラケットと当接する前の状態で、前記ブラケット側に向けて傾斜して配置されていることを特徴とするサンバイザ用コネクタ。
【請求項４】
請求項２又は３記載のサンバイザ用コネクタであって、
前記相手接続部は、箱状に形成され、
前記平板部は、前記相手接続部と対向して配置され、前記ハウジングに前記コネクタ端子が保持された状態で前記相手接続部の開口を塞ぐように配置されることを特徴とするサンバイザ用コネクタ。
【発明の詳細な説明】
【技術分野】
【０００１】
本発明は、サンバイザ用コネクタに関する。詳細には、取付部材に回動可能に取り付けられたサンバイザに適用されるサンバイザ用コネクタに関する。
【背景技術】
【０００２】
従来、サンバイザ用コネクタとしては、取付部材としての車室の天井に取り付けられるブラケットと、車室側に配置されたサンバイザ本体を回動可能に支持し端部がブラケットを挿通して回動可能に配置されるアーム部としての支軸と、ブラケットの車室外側に固定されブラケットを挿通する支軸の端部近傍に配置されるハウジングと、ハウジングに収容され車室外側に配置された相手端子に接続される相手接続部と支軸の端部に接続されるアーム接続部とを有するコネクタ端子とを備えたものが知られている（例えば、特許文献１参照）。
【０００３】
このサンバイザ用コネクタでは、ハウジングの内部に、コネクタ端子が一対収容され、一対のアーム接続部が、支軸の端部に設けられた一対の導通部に対して挟持するように接続されている。
【０００４】
そして、サンバイザ本体を回動させることにより、一対のアーム接続部と支軸の一対の導通部とが、接触状態と非接触状態とを切り換えられ、サンバイザ本体に設けられた照明機器の点灯と消灯とが切り換えられる。
【先行技術文献】
【特許文献】
【０００５】
【特許文献１】特開２０１１−２３０５５９号公報
【発明の概要】
【発明が解決しようとする課題】
【０００６】
ところで、上記特許文献１のようなサンバイザ用コネクタでは、コネクタ端子が、ハウジングに収容された状態で、ハウジングの正規位置に配置されていないと、相手接続部やアーム接続部が、相手端子やアーム部の端部と接触不良を起こし、接続信頼性が低下する虞があった。
【０００７】
そこで、この発明は、接続信頼性を保持することができるサンバイザ用コネクタの提供を目的としている。
【課題を解決するための手段】
【０００８】
請求項１記載の発明は、取付部材に取り付けられるブラケットと、前記取付部材の一側に配置されたサンバイザ本体を回動可能に支持し端部が前記ブラケットを挿通して回動可能に配置されるアーム部と、前記ブラケットの前記取付部材の他側に固定され前記ブラケットを挿通する前記アーム部の端部近傍に配置されるハウジングと、前記ハウジングに収容され前記取付部材の他側に配置された相手端子に接続される相手接続部と前記アーム部の端部に接続されるアーム接続部とを有するコネクタ端子と、前記コネクタ端子に設けられ前記ハウジングの前記ブラケットと対向する部分に挿入して係合され前記コネクタ端子を前記ハウジングに固定する固定部と、前記コネクタ端子の前記ブラケットと対向する部分に設けられ前記ブラケットと当接し前記コネクタ端子を前記固定部の挿入方向に向けて押圧する押圧部とを有することを特徴とするサンバイザ用コネクタである。
【０００９】
このサンバイザ用コネクタでは、コネクタ端子のブラケットと対向する部分に、ブラケットと当接しコネクタ端子を固定部の挿入方向に向けて押圧する押圧部が設けられているので、コネクタ端子が固定部の半挿入状態でハウジングに収容されていても、押圧部のブラケットとの当接によって、固定部を正規位置まで挿入することができる。
【００１０】
従って、このようなサンバイザ用コネクタでは、押圧部によってコネクタ端子をハウジングの正規位置で保持することができ、相手接続部やアーム接続部の接続不良を防止して、接続信頼性を保持することができる。
【００１１】
請求項２記載の発明は、請求項１記載のサンバイザ用コネクタであって、前記押圧部は、前記ブラケットと平面で当接する平板部を有することを特徴とする。
【００１２】
このサンバイザ用コネクタでは、押圧部が、ブラケットと平面で当接する平板部を有するので、押圧部におけるブラケットとの当接面積を増大させることができ、コネクタ端子をハウジングの正規位置に安定して保持することができる。
【００１３】
請求項３記載の発明は、請求項２記載のサンバイザ用コネクタであって、前記平板部は、前記ブラケットと当接する前の状態で、前記ブラケット側に向けて傾斜して配置されていることを特徴とする。
【００１４】
このサンバイザ用コネクタでは、平板部が、ブラケットと当接する前の状態で、ブラケット側に向けて傾斜して配置されているので、コネクタ端子を収容したハウジングをブラケットに組付けるときに、平板部をブラケットに確実に当接させることができ、コネクタ端子をハウジングの正規位置に安定して導くことができる。
【００１５】
請求項４記載の発明は、請求項２又は３記載のサンバイザ用コネクタであって、前記相手接続部は、箱状に形成され、前記平板部は、前記相手接続部と対向して配置され、前記ハウジングに前記コネクタ端子が保持された状態で前記相手接続部の開口を塞ぐように配置されることを特徴とする。
【００１６】
このサンバイザ用コネクタでは、平板部が、箱状の相手接続部と対向して配置され、ハウジングにコネクタ端子が保持された状態で相手接続部の開口を塞ぐように配置されるので、平板部によって相手接続部を保護することができる。
【発明の効果】
【００１７】
本発明によれば、接続信頼性を保持することができるサンバイザ用コネクタを提供することができるという効果を奏する。
【図面の簡単な説明】
【００１８】
【図１】本発明の実施の形態に係るサンバイザ用コネクタが適用されたサンバイザの斜視図である。
【図２】本発明の実施の形態に係るサンバイザ用コネクタが適用されたサンバイザを取付部材に取り付けたときの側面図である。
【図３】本発明の第１実施形態に係るサンバイザ用コネクタの斜視図である。
【図４】本発明の第１実施形態に係るサンバイザ用コネクタのハウジングを取り外したときの斜視図である。
【図５】本発明の第１実施形態に係るサンバイザ用コネクタのハウジングをブラケットに組付けるときの断面図である。
【図６】本発明の第１実施形態に係るサンバイザ用コネクタの断面図である。
【図７】本発明の第１実施形態に係るサンバイザ用コネクタのブラケットの斜視図である。
【図８】本発明の第１実施形態に係るサンバイザ用コネクタのアーム部の斜視図である。
【図９】本発明の第１実施形態に係るサンバイザ用コネクタのハウジングの斜視図である。
【図１０】本発明の第１実施形態に係るサンバイザ用コネクタのコネクタ端子の斜視図である。
【図１１】本発明の第２実施形態に係るサンバイザ用コネクタのハウジングにコネクタ端子を組付けたときの断面図である。
【図１２】本発明の第２実施形態に係るサンバイザ用コネクタのハウジングにコネクタ端子を組付けたときの斜視図である。
【発明を実施するための形態】
【００１９】
図１〜図１２を用いて本発明の実施の形態に係るサンバイザ用コネクタについて説明する。
【００２０】
（第１実施形態）
図１〜図１０を用いて第１実施形態について説明する。
【００２１】
本実施の形態に係るサンバイザ用コネクタ１は、取付部材３に取り付けられるブラケット５と、取付部材３の一側（以下「車室側」とする）に配置されたサンバイザ本体７を回動可能に支持し端部がブラケット５を挿通して回動可能に配置されるアーム部９と、ブラケット５の取付部材３の他側（以下「車室外側」とする）に固定されブラケット５を挿通するアーム部９の端部近傍に配置されるハウジング１１と、ハウジング１１に収容され取付部材３の車室外側に配置された相手端子に接続される相手接続部１３とアーム部９の端部に接続されるアーム接続部１５とを有するコネクタ端子１７とを備えている。
【００２２】
また、コネクタ端子１７には、ハウジング１１のブラケット５と対向する部分に挿入して係合されコネクタ端子１７をハウジング１１に固定する固定部１９が設けられている。
【００２３】
そして、コネクタ端子１７のブラケット５と対向する部分には、ブラケット５と当接しコネクタ端子１７を固定部１９の挿入方向に向けて押圧する押圧部２１が設けられている。
【００２４】
また、押圧部２１は、ブラケット５と平面で当接する平板部２３を有する。
【００２５】
図１〜図１０に示すように、サンバイザ用コネクタ１は、取付部材３としての車室の天井に取り付けられるサンバイザ２５に適用される。
【００２６】
サンバイザ２５は、サンバイザ本体７と、サンバイザ用コネクタ１とを備えている。
【００２７】
サンバイザ本体７は、長方形状に形成されて天井（取付部材３）の車室側に配置され、表面にミラー（不図示）とミラーを照射するランプ（不図示）が配置され、内部にランプを点灯、消灯する照明機器（不図示）が収容されている。
【００２８】
このサンバイザ本体７には、長辺部分に挿通され、端部から天井（取付部材３）側に向けて露出するアーム部９が配置され、サンバイザ用コネクタ１を介して天井（取付部材３）の車室外側に配置された電力供給用の電源（不図示）に照明機器が電気的に接続される。
【００２９】
サンバイザ用コネクタ１は、ブラケット５と、アーム部９と、ハウジング１１と、コネクタ端子１７とを備えている。
【００３０】
ブラケット５は、長方形の板状に形成され、長さ方向の両側にそれぞれ設けられた取付部２７，２７でボルトなどの固定手段を介して取付部材３に固定される。
【００３１】
このブラケット５の中央部には、アーム部９の端部が挿通され、アーム部９を回動可能に支持する筒状に形成された支持部２９が設けられている。
【００３２】
アーム部９は、内部にサンバイザ本体７に収容された照明機器と電気的に接続される２本の導体（不図示）がインサート成形され、長軸部３１と、短軸部３３とを備えている。
【００３３】
長軸部３１は、サンバイザ本体７の長辺近傍の内部に挿通され、サンバイザ本体７を、長軸部３１の軸心回りにおいて、格納位置（取付部材３に対して閉じた状態となる位置）と遮光位置（フロントガラスやサイドガラスに対して閉じた状態となる位置）との間で、回動可能に支持する。
【００３４】
この長軸部３１のサンバイザ本体７の内部に位置する端部には、アーム部９の内部にインサート成形された２本の導体が露出して配置された一対の接点部（不図示）が設けられ、照明機器に設けられた一対の端子（不図示）が接触されている。
【００３５】
この一対の接点部と一対の端子とは、例えば、サンバイザ本体７の格納位置で非接触とされてランプを消灯し、サンバイザ本体７の遮光位置で接触されてランプを点灯させる。
【００３６】
このような長軸部３１のサンバイザ本体７の外部に露出する端部には、短軸部３３が連続する一部材で設けられている。
【００３７】
短軸部３３は、アーム部９をＬ字状に形成するように、サンバイザ本体７から露出する長軸部３１の端部から取付部材３側に向けて延設されている。
【００３８】
この短軸部３３は、取付部材３側に、短軸部３３の軸心回りに回転する回動部３５が設けられ、この回動部３５をブラケット５の支持部２９に挿通させ、圧入して固定することにより、アーム部９が短軸部３３の軸心回りに回動可能にブラケット５に支持される。
【００３９】
このように短軸部３３をブラケット５に支持することにより、サンバイザ本体７が、短軸部３３の軸心回りにおいて、フロント位置（フロントガラス側に移動した位置）とサイド位置（サイドガラス側に移動した位置）との間を、回動可能となる。
【００４０】
このような短軸部３３のブラケット５を挿通する端部には、アーム部９の内部にインサート成形された２本の導体が露出して配置された一対の接点部３７，３７が設けられている。
【００４１】
この一対の接点部３７，３７が配置されたブラケット５には、一対の接点部３７，３７を覆うようにハウジング１１が配置される。
【００４２】
ハウジング１１は、合成樹脂などの絶縁性材料からなり、ブラケット５の支持部２９を覆うように配置され、支持部２９の両側に設けられた被係合部３９，３９に、係合部４１，４１を係合することによってブラケット５に固定される。
【００４３】
このハウジング１１には、天井（取付部材３）のサンバイザ本体７と反対側の車室外側に配置され、電力供給用の電源に接続された相手ハウジング（不図示）が嵌合される一対の嵌合部４３，４３が設けられている。
【００４４】
このようなハウジング１１の内部には、一対のコネクタ端子１７，１７が収容され、一対の嵌合部４３，４３に相手ハウジングを嵌合させることにより、アーム部９を介してサンバイザ本体７の内部に収容された照明機器への電力供給が可能となる。
【００４５】
一対のコネクタ端子１７，１７は、それぞれ本体部４５と、相手接続部１３と、アーム接続部１５と、固定部１９と、押圧部２１とを備えている。
【００４６】
なお、一対のコネクタ端子１７，１７は、左右対称に形成されているので、以下では、一方のコネクタ端子１７について説明し、他方のコネクタ端子１７の説明については省略する。
【００４７】
本体部４５は、導電性材料からなり、平板状に形成され、折り曲げ加工を施すことにより、一端側に相手接続部１３が設けられ、他端側にアーム接続部１５が設けられている。
【００４８】
相手接続部１３は、本体部４５の一端側に折り曲げ加工を施すことにより、内部に接点を有する弾性変形可能な弾性片が配置された箱状に形成されている。
【００４９】
この相手接続部１３は、ハウジング１１に収容された状態で、嵌合部４３内に配置され、嵌合部４３に相手ハウジングが嵌合されることにより、相手ハウジングに収容された相手端子（不図示）と接触し、コネクタ端子１７と相手端子とが電気的に接続される。
【００５０】
アーム接続部１５は、本体部４５の他端側に折り曲げ加工を施すことにより、屈曲部４７を介して弾性変形可能に設けられ、アーム部９の接点部３７側に向けて突出する接点１５ａが設けられている。
【００５１】
このアーム接続部１５は、ハウジング１１に収容された状態で、ハウジング１１のアーム部９の一対の接点部３７，３７に向けて露出する保護部４９内で、一対の接点部３７，３７（短軸部３３の端部）を挟んで、他方のコネクタ端子１７のアーム接続部１５と対向して配置される。
【００５２】
このようなアーム接続部１５は、他方のコネクタ端子１７のアーム接続部１５と、一対の接点部３７，３７に対してその付勢力によって挟持するように接触され、コネクタ端子１７とアーム部９とが電気的に接続される。
【００５３】
ここで、アーム部９は、ブラケット５に対して短軸部３３の軸心回りを回動可能となっているので、サンバイザ本体７は、フロント位置とサイド位置との間を回動可能となっている。
【００５４】
このようなサンバイザ本体７の動きに対して、一対のアーム接続部１５，１５と一対の接点部３７，３７とは、例えば、サンバイザ本体７のフロント位置で接触されてランプを点灯し、サンバイザ本体７のサイド位置で非接触とされてランプを消灯させる。
【００５５】
このようなアーム接続部１５と相手接続部１３との間に位置する本体部４５には、ハウジング１１にコネクタ端子１７を固定させる固定部１９が設けられている。
【００５６】
固定部１９は、本体部４５の相手接続部１３とアーム接続部１５との間に位置する側面からハウジング１１の内壁面に向けて突設されている。
【００５７】
この固定部１９には、幅方向の両側にそれぞれ外方に向けて傾斜形状に突設された圧入部５１，５１が設けられている。
【００５８】
この圧入部５１，５１は、ハウジング１１がブラケット５に組付けられた状態で、ハウジング１１のコネクタ端子１７を挟んでブラケット５と対向する部分に設けられた被圧入部に圧入されることによって、コネクタ端子１７をハウジング１１に固定させる。
【００５９】
このような固定部１９は、ハウジング１１をブラケット５に組付ける前の状態で、ハウジング１１の被圧入部に挿入して係合、すなわち圧入され、予めコネクタ端子１７をハウジング１１に固定させる。
【００６０】
なお、固定部１９と相手接続部１３との間に位置する本体部４５には、相手端子と相手接続部１３との嵌合方向と直交する平面方向と、相手端子と相手接続部１３との嵌合方向と平行な平面方向とに折り曲げられた折曲部５３が設けられている。
【００６１】
この折曲部５３は、相手接続部１３と相手端子との間で発生した遊動などの相手接続部１３側で発生した振動を減衰させ、アーム接続部１５側で接触不良が生じることを抑制している。
【００６２】
加えて、折曲部５３を設けることにより、相手接続部１３とアーム接続部１５とを近接して配置することができ、コネクタ端子１７を収容するハウジング１１を小型化することができる。
【００６３】
このような折曲部５３近傍に位置する固定部１９のハウジング１１の被圧入部に対する挿入状態が不十分（半挿入状態など）であると、コネクタ端子１７がハウジング１１に対して正規位置で収容されず、相手接続部１３やアーム接続部１５が嵌合部４３や保護部４９に位置ズレして配置されてしまう虞がある。
【００６４】
このように相手接続部１３やアーム接続部１５が嵌合部４３や保護部４９に位置ズレして配置されてしまうと、相手端子や一対の接点部３７，３７との接触が不安定となり、相手接続部１３やアーム接続部１５で接触不良を生じる虞があった。
【００６５】
そこで、コネクタ端子１７には、ブラケット５と当接しコネクタ端子１７を固定部１９の挿入方向に向けて押圧する押圧部２１が設けられている。
【００６６】
押圧部２１は、本体部４５の相手接続部１３が位置し、ブラケット５と対向する部分に設けられ、ブラケット５と平面で当接する平板部２３を有する。
【００６７】
平板部２３は、本体部４５からブラケット５に向けて延設された部分を、ブラケット５の表面と平行となるように、９０°折り曲げられて設けられている。
【００６８】
この平板部２３は、コネクタ端子１７がハウジング１１に収容された状態、すなわち固定部１９がハウジング１１の被圧入部に挿入して係合された状態で、ハウジング１１をブラケット５に組付けることにより、ブラケット５の表面に対して平面で当接される。
【００６９】
このとき、固定部１９が、ハウジング１１の被圧入部に対して挿入が不十分（半挿入など）である場合、押圧部２１（平板部２３）とブラケット５との当接により、コネクタ端子１７が固定部１９の挿入方向に押圧され、固定部１９がハウジング１１の被圧入部に十分な挿入位置となるまで押し込まれる。
【００７０】
このため、固定部１９の挿入が不十分であっても、押圧部２１によって固定部１９を正常な挿入位置とすることができ、コネクタ端子１７をハウジング１１の正規位置で収容させることができる。
【００７１】
従って、相手接続部１３やアーム接続部１５が嵌合部４３や保護部４９に位置ズレして配置されることがなく、相手端子や一対の接点部３７，３７との接触を安定化することができ、相手接続部１３やアーム接続部１５での接触不良を防止することができる。
【００７２】
なお、固定部１９が正常な挿入位置に配置されているときの押圧部２１によるコネクタ端子１７への押圧力は、本体部４５に変形が生じない程度の押圧力に設定されており、コネクタ端子１７をハウジング１１の正規位置で安定して保持できるようにされている。
【００７３】
ここで、押圧部２１が平板部２３を有していない場合、押圧部２１とブラケット５との当接面積は、本体部４５の板厚となるので、押圧部２１とブラケット５とが当接したときに、押圧部２１がブラケット５に食い込んでしまう虞がある。
【００７４】
このような押圧部２１のブラケット５への食い込みが生じると、固定部１９を正常な挿入位置に押圧することができず、コネクタ端子１７をハウジング１１の正規位置に配置することができない虞がある。
【００７５】
これに対して、押圧部２１は、ブラケット５と平面で当接する平板部２３を有するので、押圧部２１とブラケット５との当接面積を増大させることができ、押圧部２１のブラケット５への食い込みを防止して、コネクタ端子１７をハウジング１１の正規位置に配置することができる。
【００７６】
加えて、押圧部２１が平板部２３を有することにより、作業者が手でコネクタ端子１７をハウジング１１に収容する場合、平板部２３を押圧することによって、手に押圧部２１が食い込むことがなく、組付作業性を向上することができる。
【００７７】
このようなサンバイザ用コネクタ１では、コネクタ端子１７のブラケット５と対向する部分に、ブラケット５と当接しコネクタ端子１７を固定部１９の挿入方向に向けて押圧する押圧部２１が設けられているので、コネクタ端子１７が固定部１９の半挿入状態でハウジング１１に収容されていても、押圧部２１のブラケット５との当接によって、固定部１９を正規位置まで挿入することができる。
【００７８】
従って、このようなサンバイザ用コネクタ１では、押圧部２１によってコネクタ端子１７をハウジング１１の正規位置で保持することができ、相手接続部１３やアーム接続部１５の接続不良を防止して、接続信頼性を保持することができる。
【００７９】
また、押圧部２１は、ブラケット５と平面で当接する平板部２３を有するので、押圧部２１におけるブラケット５との当接面積を増大させることができ、コネクタ端子１７をハウジング１１の正規位置に安定して保持することができる。
【００８０】
（第２実施形態）
図１１，図１２を用いて第２実施形態について説明する。
【００８１】
本実施の形態に係るサンバイザ用コネクタ１０１は、平板部１０３が、ブラケット５と当接する前の状態で、ブラケット５側に向けて傾斜して配置されている。
【００８２】
また、平板部１０３は、相手接続部１３と対向して配置され、ハウジング１１にコネクタ端子１７が保持された状態で相手接続部１３の開口を塞ぐように配置される。
【００８３】
なお、第１実施形態と同様の構成には、同一の符号を付して構成及び機能説明は第１実施形態を参照するものとし省略するが、同様の構成であるので得られる作用・効果は同様である。
【００８４】
図１１，図１２に示すように、押圧部２１の平板部１０３は、ブラケット５（図６参照）と当接する前の状態で、本体部４５からブラケット５に向けて延設された部分を、ブラケット５側に向けて傾斜するように、９０°以下に折り曲げられて設けられている。
【００８５】
この平板部１０３は、ブラケット５側に向けて傾斜されているので、固定部１９が正規の挿入位置であっても、或いは正規の挿入位置でなくても、コネクタ端子１７をハウジング１１に収容した状態で、ハウジング１１をブラケット５に組付けるときに、端部が必ずブラケット５に当接される。
【００８６】
このとき、固定部１９が正規の挿入位置でない場合には、ハウジング１１のブラケット５への早い組付段階で、ブラケット５の表面に対して平行となるように平板部１０３が変形し、平板部１０３の平面がブラケット５の表面と当接し、固定部１９を正規の挿入位置に移動させる。
【００８７】
一方、固定部１９が正規の挿入位置である場合には、ハウジング１１のブラケット５への組付段階の終盤で、ブラケット５の表面に対して平行となるように平板部１０３が変形し、平板部１０３の平面がブラケット５の表面と当接し、固定部１９を正規の挿入位置で保持する。
【００８８】
このように押圧部２１の平板部１０３をブラケット５側に向けて傾斜して配置することにより、コネクタ端子１７を収容したハウジング１１をブラケット５に組付けるときに、平板部１０３をブラケット５に確実に当接させることができる。
【００８９】
加えて、平板部１０３とブラケット５とを確実に当接させることができるので、部材の製造公差や組付ガタを吸収して、押圧部２１によってコネクタ端子１７を固定部１９の挿入方向に確実に押圧することができる。
【００９０】
このような平板部１０３は、ハウジング１１にコネクタ端子１７が保持（収容）された状態で、対向して配置された箱状の相手接続部１３の開口（相手端子との嵌合開口と反対側の開口）を塞ぐように配置される。
【００９１】
詳細には、平板部１０３は、ハウジング１１にコネクタ端子１７が保持された状態で、ハウジング１１を下方側（ブラケット５側）から見たときに、相手接続部１３の開口を塞ぐ（開口が見えない）ように、本体部４５からの延設長さ（延設面積）が設定されている。
【００９２】
このように平板部１０３を配置することにより、箱状の相手接続部１３への異物の混入などを防止することができ、箱状の相手接続部１３の内部に配置された弾性変形可能な弾性片を保護することができる。
【００９３】
このようなサンバイザ用コネクタ１０１では、平板部１０３が、ブラケット５と当接する前の状態で、ブラケット５側に向けて傾斜して配置されているので、コネクタ端子１７を収容したハウジング１１をブラケット５に組付けるときに、平板部１０３をブラケット５に確実に当接させることができ、コネクタ端子１７をハウジング１１の正規位置に安定して導くことができる。
【００９４】
また、平板部１０３は、箱状の相手接続部１３と対向して配置され、ハウジング１１にコネクタ端子１７が保持された状態で相手接続部１３の開口を塞ぐように配置されるので、平板部１０３によって相手接続部１３を保護することができる。
【００９５】
なお、本発明の実施の形態に係るサンバイザ用コネクタでは、固定部の係合構造がハウジングへの圧入となっているが、これに限らず、固定部の係合構造は係合突起と係合孔との係合などでもよく、固定部の挿入方向と押圧部の押圧方向とが同一であれば、固定部の係合構造はどのような係合であってもよい。
【００９６】
また、第１実施形態に係るサンバイザ用コネクタでは、平板部が箱状の相手接続部の開口を塞ぐ延設長さを有していないが、平板部の延設長さを箱状の相手接続部の開口を塞ぐように設定してもよい。
【００９７】
さらに、固定部や押圧部は、コネクタ端子にそれぞれ１つ設けられているが、これに限らず、固定部や押圧部をコネクタ端子にそれぞれ複数設けてもよい。
【符号の説明】
【００９８】
１，１０１…サンバイザ用コネクタ
３…取付部材
５…ブラケット
７…サンバイザ本体
９…アーム部
１１…ハウジング
１３…相手接続部
１５…アーム接続部
１７…コネクタ端子
１９…固定部
２１…押圧部
２３，１０３…平板部
【図１】
2020019416.tif 000003
【図２】
2020019416.tif 000004
【図３】
2020019416.tif 000005
【図４】
2020019416.tif 000006
【図５】
2020019416.tif 000007
【図６】
2020019416.tif 000008
【図７】
2020019416.tif 000009
【図８】
2020019416.tif 000010
【図９】
2020019416.tif 000011
【図１０】
2020019416.tif 000012
【図１１】
2020019416.tif 000013
【図１２】
2020019416.tif 000014